(57)【要約】【課題】  施工性が向上し、脱落を確実に防止できるパーティション用取付金具を提供する。【解決手段】  パーティション用取付金具１は、建物躯体に吊り下げられ天井板の周部が載置される長尺状の載置部と、該載置部の短手方向の両端部からそれぞれ延設される側片と、両側片の先端部から互いに近接する方向に延設され先端縁間で開口部を形成する支持部とを下部に備えた支持バーが、所定間隔で格子状に連結され、支持バーが十字状に連結される部位に開口部が交差してなる十字状の孔を備えるシステム天井に用いられるものであり、十字状の孔に対応した十字方向にそれぞれ突出する４つの腕部１１ａを有し十字状の孔から支持バー内に挿入され両支持部上に腕部１１ａを載置する形で支持バーに支持される被支持部１１と、該被支持部１１の略中央部に設けられ開口部から外方へ突出されるパーティション取付用の取付部１２とを備える。【選択図】図１
2006152732.tif 000002
【特許請求の範囲】
【請求項１】
建物躯体に吊り下げられ、天井板の周部が載置される長尺状の載置部と、該載置部の短手方向の両端部からそれぞれ延設される側片と、両側片の先端部から互いに近接する方向に延設され先端縁間で開口部を形成する支持部とを下部に備えた支持バーが、所定間隔で格子状に連結され、前記支持バーが十字状に連結される部位に前記開口部が交差してなる十字状の孔を備えるシステム天井に用いられ、前記十字状の孔に対応した十字方向にそれぞれ突出する４つの腕部を有し前記十字状の孔から前記支持バー内に挿入され前記両支持部上に前記腕部を載置する形で前記支持バーに支持される被支持部と、該被支持部の略中央部に設けられ前記開口部から外方へ突出されるパーティション取付用の取付部とを備えていることを特徴とするパーティション用取付金具。
【請求項２】
前記支持バー内に挿入され垂直方向を軸として所定角度回転された被支持部の腕部が、前記支持バーの両側片の内面とそれぞれ当接するような長さ寸法に設定されていることを特徴とする請求項１に記載のパーティション用取付金具。
【請求項３】
前記各腕部は、垂直方向を軸として前記支持バーに挿入された前記被支持部を４５度回転させた際に、前記支持バーの側板に対して略並行するテーパ面を備えていることを特徴とする請求項１又は２に記載のパーティション用取付金具。
【請求項４】
前記取付部は、前記被支持部の略中央部に垂設されたボルト部と、該ボルト部に螺着されるとともに前記支持バーの開口部の幅寸法よりも幅広に形成されたナット部とを備え、前記ナット部と前記被支持部にて少なくとも前記支持バーの両支持部を狭持していることを特徴とする請求項１乃至３のいずれか１項に記載のパーティション用取付金具。
【発明の詳細な説明】
【技術分野】
【０００１】
本発明は、システム天井にパーティションを取り付けるためのパーティション用取付金具に関するものである。
【背景技術】
【０００２】
Ｔバーと呼ばれる支持バーを格子状に組んだ枠組みを、コンクリートスラブ等の建物躯体に吊り下げ、この枠組みに上方から天井パネルや天井用の設備機器が設けられた設備パネル等の天井板を載置してなるシステム天井が提供されており、システム天井に空間を自由に仕切る移動壁、システム壁等としてパーティション（間仕切壁ともいう）を取り付けることで建物の空間を使用者の目的によって様々なスペースに区切ることが行われている。
【０００３】
従来、このようなパーティションをシステム天井に取り付けるパーティション用取付金具としては、かしめ固定によりパーティションと支持バーとを固定するかしめ型の取付金具が提供されている。
【０００４】
また、支持バーの所定位置にボルト穴を設けておくことで、パーティション用取付金具としてボルトとナットを用いるものや（特許文献１）、パーティション用の天井側レールをシステム天井に取り付ける際に固定ねじを用いるものが提供されている（特許文献２）。
【特許文献１】特開平９−２２１８６９号公報（第２図）
【特許文献２】特開平６−９３６７６号公報（第２図）
【発明の開示】
【発明が解決しようとする課題】
【０００５】
しかし、上記のかしめ型の取付金具では、支持バーに取付金具を被せ、この金具を専用のかしめ工具を用いてかしめることでパーティションを固定するものであるから、システム天井の設置後、つまり天井板を支持バーに載置した後にはパーティションの取り付けを行うことができず、パーティションを取り付けるためには、一旦取り付けた天井板を外さなければならなかった。加えて、システム天井の設置前においても、かしめる際に専用のかしめ工具を必要とするため、取り付けを容易に行えないという問題があった。しかも、単にかしめているだけなので、かしめが不十分な際にパーティションが外れてしまうという問題があった。
【０００６】
また、特許文献１のものでは、支持バーの所定位置に設けたボルト穴を利用してボルトとナットにより取り付けを行うから、脱落は防止できるものの、システム天井設置後には取り付けを行えず、特許文献２のものでは、下方から固定ねじで螺着するものであるから、システム天井設置後においても取り付けを行えるものの、単に固定ねじで固定しているだけなので、脱落防止が不十分であった。
【０００７】
つまり、従来のパーティション用取付金具では、システム天井への取り付け作業を容易に行えず、施工性が悪いという問題と、システム天井から脱落するという問題とがあり、この両者を同時に解決することができなかった。
【０００８】
本発明は上記事情に鑑みて為されたものであり、その目的とするところは、施工性が向上し、脱落を確実に防止できるパーティション用取付金具を提供することにある。
【課題を解決するための手段】
【０００９】
上述の課題を解決するために、請求項１のパーティション用取付金具の発明では、建物躯体に吊り下げられ、天井板の周部が載置される長尺状の載置部と、該載置部の短手方向の両端部からそれぞれ延設される側片と、両側片の先端部から互いに近接する方向に延設され先端縁間で開口部を形成する支持部とを下部に備えた支持バーが、所定間隔で格子状に連結され、前記支持バーが十字状に連結される部位に前記開口部が交差してなる十字状の孔を備えるシステム天井に用いられ、前記十字状の孔に対応した十字方向にそれぞれ突出する４つの腕部を有し前記十字状の孔から前記支持バー内に挿入され前記両支持部上に前記腕部を載置する形で前記支持バーに支持される被支持部と、該被支持部の略中央部に設けられ前記開口部から外方へ突出されるパーティション取付用の取付部とを備えていることを特徴とする。
【００１０】
請求項１のパーティション用取付金具の発明によれば、支持バーが十字状に連結される部位に開口した十字状の孔に対応した形状の被支持部を備えているので、十字状の孔から被支持部を支持バー内に挿入することでシステム天井への取り付けを行え、そのためシステム天井の設置後であっても一旦取り付けた天井板を外さなくても済むようになり、これによりシステム天井に容易に取り付けることができるから施工性が向上し、結果としてパーティションのシステム天井への取り付け作業も容易に行うことができるようになる。しかも、支持バー内に挿入した後に開口部に沿ってスライド移動させれば、被支持部が十字方向に突出した腕部が抜け止めとなって開口部から抜けることがなくなり、これによりシステム天井からの脱落を確実に防止することができる。
【００１１】
請求項２のパーティション用取付金具の発明では、請求項１の発明の構成に加えて、前記支持バー内に挿入され垂直方向を軸として所定角度回転された被支持部の腕部が、前記支持バーの両側片の内面とそれぞれ当接するような長さ寸法に設定されていることを特徴とする。
【００１２】
請求項２のパーティション用取付金具の発明によれば、被支持部を支持バー内に挿入した後に垂直方向を軸として所定角度回転させた際に、腕部が支持バーの両側片の内面とそれぞれ当接するようにしてあるので、支持バー内で空回りすることを防止できる。
【００１３】
請求項３のパーティション用取付金具の発明では、請求項１又は２の発明の構成に加えて、前記各腕部は、垂直方向を軸として前記支持バーに挿入された前記被支持部を４５度回転させた際に、前記支持バーの側板に対して略並行するテーパ面を備えていることを特徴とする。
【００１４】
請求項３のパーティション用取付金具の発明によれば、被支持部を支持バー内に挿入した後に、垂直方向を軸として４５度回転させれば、腕部のテーパ面が支持バーの両側片にそれぞれ並行するので、開口部に沿ってスライド移動させる際に腕部が支持バーの側片に当たったとしても、このテーパ面によって腕部が側片に引っ掛かることを防止でき、これにより、支持バー内でスムーズに移動させることができるようになる。
【００１５】
請求項４のパーティション用取付金具の発明では、請求項１乃至３のいずれか１項の発明の構成に加えて、前記取付部は、前記被支持部の略中央部に垂設されたボルト部と、該ボルト部に螺着されるとともに前記支持バーの開口部の幅寸法よりも幅広に形成されたナット部とを備え、前記ナット部と前記被支持部にて少なくとも前記支持バーの両支持部を狭持していることを特徴とする。
【００１６】
請求項４のパーティション用取付金具の発明によれば、取付部のボルトにナットを締め付けていくことで、被支持部とナットにて少なくとも支持バーの両支持部を狭持するようにしているので、支持バーに強固に取り付けることができ、これによりパーティションのシステム天井への取付強度の向上を図ることができる。
【発明の効果】
【００１７】
本発明のパーティション用取付金具によれば、システム天井の設置後においても十字状の孔から被支持部を支持バー内に挿入して開口部に沿ってスライド移動させていくだけで取り付けを行えるから、施工性が向上し、これによってパーティションの取り付けも容易に行えるようになるという効果があり、しかも、支持バー内に挿入した後に開口部に沿ってスライド移動させれば、十字方向に突出した腕部を有する被支持部により開口部からの抜け止めを図ることができるから、脱落を確実に防止することができるという効果がある。
【発明を実施するための最良の形態】
【００１８】
本発明のパーティション用取付金具（以下、単に取付金具という）１は、システム天井ＣにパーティションＷを取り付けるために使用され、まずは取付金具１を用いるシステム天井Ｃについて説明する。
【００１９】
システム天井Ｃは、図６に示すように、コンクリートスラブ等の建物躯体（図示せず）に吊り下げられる支持バー２を所定間隔で縦横に格子状に連結配置してなる枠組み３を有し、この枠組み３上に、平板状の天井板７がそれぞれ載置されることで構成されている。
【００２０】
支持バー２は、図４（ａ）及び図６に示すように、天井板７の周部が載置される長尺平板状の載置部２１と、該載置部２１の短手方向（図４（ａ）における左右方向）からそれぞれ下方に延設される側片２２，２２と、両側片２２，２２の先端部から互いに近接する方向に延設され先端縁間で開口部２４を形成する支持部２３，２３とを下部に備えており、載置部２１から上方には連結バー２６が延設され、この連結バー２６の上端部には、図５に示すように、Ｔハンガー等の支持ハンガー４にビスＢにて固定される吊下部２５が形成されている。
【００２１】
この支持バー２は、図５に示すように、コンクリートスラブにインサートされブレース６，６によりブレース補強されて垂下された吊りボルト５に、支持ハンガー４を介して吊り下げられ、このようにしてコンクリートスラブに吊り下げられた支持バー２を所定間隔で縦横に格子状に連結配置して枠組み３が構成される。
【００２２】
枠組み３は、支持バー２が十字状に連結される部位Ｐ（図６参照）に、図３（ａ）に示すように、両支持バー２の開口部２４が交差してなる十字状の孔部Ａが形成されており、この枠組み３において載置部２１で囲まれる領域にそれぞれ天井板７が周部を載置部２１に載置する形で取り付けられることで、システム天井Ｃが構成されている。
【００２３】
システム天井Ｃに取り付けられて、空間を自由に仕切る移動壁、システム壁等となるパーティションＷは、図５に示すように、天井、つまりはシステム天井Ｃに取り付けられる天井側レール８と、床Ｆ上に取り付けられる床側レール９とで保持される。天井側レール８は、長尺平板状の取着部８ａと、該取着部８ａの短手方向の両端部から下方へ延設され互いに並行するガイド片８ｂ，８ｂとを備えて、ガイド片８ｂ，８ｂ間でパーティションＷの上端縁を狭持するものである。床側レール９は、長尺平板状の取着部９ａと、該取着部９ａの短手方向の両端部から上方へ延設され互いに並行するガイド片９ｂ，９ｂとを備えて、ガイド片９ｂ，９ｂ間でパーティションＷの下端縁を狭持するものである。
【００２４】
取付金具１は、このシステム天井Ｃの枠組み３、つまり支持バー２に取り付けられるものであり、図１に示すように、支持バー２に支持される被支持部１１と、パーティション取付用の取付部１２とから構成されている。
【００２５】
被支持部１１は、図２（ａ）に示すように、十字状の孔部Ａに対応した略中央部から十字方向にそれぞれ突出する４つの腕部１１ａを有した十字形状に形成され、上記の十字状の孔部Ａから支持バー２内（つまり、載置部２１と両側片２２，２２と両支持部２３，２３とで囲まれた内部）に挿入することができるようになっている。また、この腕部１１ａは先細となるように両側部が面取りされてテーパ面１１ｂ，１１ｃを備え、このテーパ面１１ｂ，１１ｃは、傾斜方向が腕部１１ａの突出方向に対して４５度の角度を持つように設定されている。
【００２６】
取付部１２は、図２（ｂ）に示すように、被支持部１１の下面側略中央部に垂設されたボルト部１２ａと、このボルト部１２ａに螺着自在なナット部１２ｂとから構成されている。ナット部１２ｂは上面側にワッシャ部１２ｃを有しており、このワッシャ部１２ｃの幅寸法（直径の長さ寸法）は、支持バー２の開口部２４の幅寸法よりも幅広に設定されている。また、取付部１２は、取付金具１を支持バー２に取り付ける際の把持部としても利用される。尚、図２（ｂ）においてボルト部１２ａは形状を簡略化して示してある。
【００２７】
以上により取付金具１は構成されており、次に取付金具１のシステム天井Ｃへの取り付け方法について図３（ａ）〜（ｃ）を用いて説明する。
【００２８】
まず、取付金具１の被支持部１１を、図３（ａ）に示すように、上述の支持バー２が十字状に連結された部位Ｐの十字状の孔部Ａから支持バー２内に支持バー２の下方から挿入する。次に図３（ｂ）に示すように、垂直方向を軸として４５度回転させる（図３（ｂ）において点線で示す状態）。この後に所望の取り付け位置まで開口部２４に沿って取付金具１をスライド移動させれば、一方の両腕部１１ａ，１１ａと他方の両腕部１１ａ，１１ａとがそれぞれ支持バー２の両支持部２３，２３上に載置された形（図３（ｂ）において実線で示す状態）で被支持部１１が支持バー２に支持され、これにより取付金具１の支持バー２への取り付けを行うことができる。
【００２９】
このとき、上述したように取付金具１を４５度回転させたことによって、各腕部１１ａの突出方向に対してそれぞれ４５度傾斜した各テーパ面１１ｂ，１１ｃが縦方向（図３（ｂ）における上下方向）の支持バー２と、横方向（図３（ｂ）における左右方向）の支持バー２の両側片２２，２２の内面に対してそれぞれ略並行（図３（ｂ）に実線で示す状態）となるので、例えば、取付金具１を開口部２４に沿って横方向にスライド移動させる際に腕部１１ａが支持バー２の側片２２，２２に当たったとしても、これらテーパ面１１ｃによって各腕部１１ａが側片２２，２２に引っ掛かることを防止でき、これにより、支持バー２内でスムーズに移動させることができる。これは縦方向にスライド移動させる際も同様であり、この場合は、テーパ面１１ｂによって各腕部１１ａの引っ掛かりが防止されてスムーズに移動させることができる。
【００３０】
そして、取付金具１を所望の位置まで移動させた後に、取付部１２のナット部１２ｂを締め付けていき、図４（ａ）に示すように、被支持部１１との間に支持バー２の両支持部２３，２３を挟み込むようにすれば、取付金具１が支持バー２に強固に取り付けられることになる。この取付部１２の締め付け時には、当然ながらナット部１２ｂの回転方向にボルト部１２ａが回転しようとし、結果として被支持部１１がナット部１２ｂの回転方向に回転しようとする。そのため、支持バー２内に挿入され垂直方向を軸として所定角度回転された際に被支持部１１の腕部１１ａが、支持バー２の両側片２２，２２の内面とそれぞれ当接するような長さ寸法に設定しておけば、図３（ｃ）に示すように、腕部１１が支持バー２の両側片２２，２２の内面とそれぞれ当接することになるから、取付金具１が支持バー２内で空回りすることを防止することができ、これによりナット部１２ｂの螺着を確実に行うことができるようになる。加えて、腕部１１ａのテーパ面１１ｂ，１１ｃにより両側片２２，２２の内面にかかる部位が増えることによって、さらなる空回りの防止が図られている。
【００３１】
以上のようにして取付金具１はシステム天井Ｃに取り付けられ、パーティションＷを取り付けるための天井側レール８はこれら取付金具１を用いてシステム天井Ｃに取り付けられる。つまり、天井側レール８は取着部８ａに形成したボルト穴（図示せず）に取付金具１のボルト部１２ａを挿通して、取着部８の下方からナット部１２ｂを螺着して締め付けていくことで、図４（ｂ）に示すように被支持部１１とナット部１２ｂのワッシャ部１２ｃとで、支持バー２の両支持部２３，２３とともに取着部８ａが狭持される形でシステム天井Ｃに強固に取り付けられる。
【００３２】
このようにして取付金具１を用いて上記の天井側レール８をシステム天井Ｃに取り付け、図５に示すように、天井側レール８に上下方向において重複するようにして床側レール９を床Ｆに取り付けることで、これら天井側レール８と床側レール９とによりパーティションＷを取り付けることができる。
【００３３】
したがって、本発明の取付金具１によれば、支持バー２が十字状に連結される部位Ｐに開口した十字状の孔部Ａに対応した形状の被支持部１１を備えているので、十字状の孔部Ａから被支持部１１を支持バー２の下方から支持バー２内に挿入することで取付金具１のシステム天井Ｃへの取り付けを行え、そのためシステム天井Ｃの設置後であっても一旦取り付けた天井板７を外さなくて済み、これにより取付金具１をシステム天井Ｃに容易に取り付けることができるから施工性が向上し、結果としてパーティションＷのシステム天井Ｃへの取り付け作業も容易に行うことができるようになる。しかも、支持バー２内に挿入した後に開口部２４に沿ってスライド移動させれば、被支持部１１から十字方向に突出した腕部１１ａが被支持部１１の抜け止めとなるから、開口部２４から抜けることがなくなり、これにより取付金具１の脱落を確実に防止することができ、たとえ取付金具１に下方向への力が加わっても抜けることがない。加えて、支持バー２内に挿入した後に取付金具１を垂直方向を軸として４５度回転させることによって、例えば一方の腕部１１ａと他方の腕部１１ａとの２つのみが支持バー２の両支持部２３，２３上にそれぞれ載置されるのではなく、一方の両腕部１１ａ，１１ａと他方の両腕部１１ａ，１１ａとの４つ全てが支持バー２の両支持部２３，２３上にそれぞれ載置されることになるので、被支持部１１と両支持部２３，２３との重複部位を増やすことができ、加えて、各腕部１１ａにテーパ面１１ｂ，１１ｃを形成していることによって、両支持部２３，２３と腕部１１ａとの重複部位をさらに増やすことができる。
【図面の簡単な説明】
【００３４】
【図１】本発明のパーティション用取付金具の斜視図である。
【図２】（ａ）は、同上のパーティション用取付金具の上面図であり、（ｂ）は、同上のパーティション用取付金具の側面図である。
【図３】（ａ）は、同上のパーティション用取付金具の支持バー内への挿入時の様子を示す上面から見た断面図であり、（ｂ）は、同上のパーティション用取付金具の支持バー内での移動時の様子を示す上面から見た断面図であり、（ｃ）は、同上のパーティション用取付金具の支持バー内での回転時の様子を示す上面から見た断面図である。
【図４】（ａ）は、同上のパーティション用取付金具を支持バーに取り付けた状態を示す概略断面図であり、（ｂ）は、同図（ａ）にさらに天井側レールを取り付けた状態を示す概略断面図である。
【図５】パーティションをシステム天井に取り付けた状態を示す概略断面図である。
【図６】システム天井の要部を示す概略説明図である。
【符号の説明】
【００３５】
１    パーティション用取付金具
１１    被支持部
１１ａ  腕部
１２    取付部
【図１】
2006152732.tif 000003
【図２】
2006152732.tif 000004
【図３】
2006152732.tif 000005
【図４】
2006152732.tif 000006
【図５】
2006152732.tif 000007
【図６】
2006152732.tif 000008